(57)【要約】【課題】  イオンバランスが不規則に変動するのを抑制することができる除電装置を提供する。【解決手段】  取付面３１ａから突出するように配置され、先端にエア吐出口３３１が形成されたエアノズル３３と、エア吐出口３３１から先端を突出させた状態でエアノズル３３内に収容され、コロナ放電用の電圧が印加される電極針３４とを備え、エアノズル３３が導電性部材からなるように構成される。【選択図】  図３
2012221901.tif 000002
【特許請求の範囲】
【請求項１】
取付面から突出するように配置され、先端にエア吐出口が形成されたノズルと、
上記エア吐出口から先端を突出させた状態で上記ノズル内に収容され、コロナ放電用の電圧が印加される電極針とを備え、
上記ノズルは、導電性部材からなることを特徴とする除電装置。
【請求項２】
上記電極針及び上記ノズルが、略同電位であることを特徴とする請求項１に記載の除電装置。
【請求項３】
上記取付面上において上記ノズルを取り囲むように配置された絶縁性部材からなるフィンガーガードを備えたことを特徴とする請求項１又は２に記載の除電装置。
【請求項４】
上記フィンガーガードは、上記取付面の周縁に沿って配置された３以上の爪部からなり、上記爪部は、上記取付面からの高さが上記電極針の先端よりも高い形状からなることを特徴とする請求項３に記載の除電装置。
【請求項５】
上記フィンガーガードは、上記電極針の先端よりも高い位置に配置された環状のリング部と、上記取付面の周縁に沿って配置され、上記リング部を支持する３以上の柱部とからなることを特徴とする請求項３に記載の除電装置。
【請求項６】
取付面から突出するように配置され、先端にエア吐出口が形成されたノズルと、
上記エア吐出口から先端を突出させた状態で上記ノズル内に収容され、コロナ放電用の電圧が印加される電極針と、
上記取付面上において上記ノズルを取り囲むように配置された絶縁性部材からなるフィンガーガードとを備え、
上記ノズルは、導電性部材からなることを特徴とする放電針ユニット。
【発明の詳細な説明】
【技術分野】
【０００１】
本発明は、除電装置及び放電針ユニットに係り、さらに詳しくは、コロナ放電用の電圧を電極針に印加することによって、電極針の周辺に正イオン及び負イオンを発生させる除電装置の改良に関する。
【背景技術】
【０００２】
除電器は、静電気などによって帯電したワークに正イオン又は負イオンを供給することにより、ワークから余分な電気を除去する装置である。電極針にコロナ放電用の高電圧を印加した際に、電極針の先端に生じるコロナ放電を利用する除電装置には、電極針に電圧を印加する際の駆動方式として、ＤＣ方式、ＡＣ方式、パルスＤＣ方式、パルスＡＣ方式などのタイプがある。ＤＣ方式では、大地アースに対し正電位が維持される正側電極針と負電位が維持される負側電極針とが設けられる。ＡＣ方式では、単一の電極針に交流電圧が印加される。パルスＤＣ方式では、パルス状の駆動電圧が正側電極針と負側電極針とに交互に印加される。パルスＡＣ方式では、パルス状の交流電圧が単一の電極針に印加される。
【０００３】
ＡＣ方式やパルスＡＣ方式などの交流式の除電装置の場合、電極針に対し正極性駆動電圧と負極性駆動電圧とが交互に繰返し印加されることから、電極針の周辺における正イオン及び負イオン間のイオンバランスは、交流駆動の周波数で変動する（例えば、特許文献１）。特許文献１では、この様なイオンバランスの変動をリップルと呼んでいる。イオンバランスの変動が大きければ、除電対象物や除電装置周辺の電子デバイスを破壊しかねないという課題があった。
【０００４】
図１３は、従来の除電装置を用いて測定されたリップルを示した図であり、交流駆動の周波数が３３Ｈｚである場合が示されている。図中の（ａ）には、設置距離が５０ｍｍの場合が示され、（ｂ）には、設置距離が２００ｍｍの場合が示されている。除電器から５０ｍｍの設置距離だけ離間した位置では、イオンバランスが（−５００）〜（＋４００）Ｖの範囲で変動しているのに対し、２００ｍｍの設置距離では、イオンバランスの変動が（−１００）〜（＋１００）Ｖの範囲内に収まっている。この様に、設置距離を長くし、除電器を除電対象物から遠ざければ、リップルを小さくすることができるが、除電速度が遅くなってしまうという問題があった。
【０００５】
通常、交流駆動の周波数を高くすることにより、設置距離が短い場合であってもリップルを低減させることができる。しかし、従来の除電装置では、交流駆動の周期よりも長い時間スケールでイオンバランスが不規則に変動するという問題があった。
【０００６】
図１４は、従来の除電装置を用いて測定されたイオンバランスの不規則な時間変動をリップルと比較して示した図である。図中の（ａ）には、交流駆動の周波数が１００Ｈｚ、設置距離が５０ｍｍの場合が示され、（ｂ）には、不規則に変動するイオンバランスの様子が示されている。交流駆動の周波数を高くすれば、設置距離が５０ｍｍであっても、リップルを（−１００）〜（＋１００）Ｖの範囲内に収めることができる。ところが、設置距離を短くし、除電器を除電対象物に近づければ、イオン濃度が濃くなることから、イオンバランスの変動量が大きくなり、イオンバランスの不規則な変動が目立つようになった。この例では、５分程度の時間に、イオンバランスが、（−３０）〜（＋８０）Ｖの範囲で不規則に変動している。
【先行技術文献】
【特許文献】
【０００７】
【特許文献１】特開２００１−２０３０９４号公報
【発明の概要】
【発明が解決しようとする課題】
【０００８】
本発明は、除電装置に近い距離におけるイオンバランスの変動を抑制することができる除電装置を提供することを目的とする。
【０００９】
特に、イオンバランスが不規則に変動するのを抑制することができる除電装置を提供することを目的とする。
【００１０】
また、本発明は、フィンガーガードの帯電に起因してイオンバランスが不規則に変動するのを効果的に抑制することができる放電針ユニットを提供することを目的とする。
【課題を解決するための手段】
【００１１】
第１の本発明による除電装置は、取付面から突出するように配置され、先端にエア吐出口が形成されたノズルと、上記エア吐出口から先端を突出させた状態で上記ノズル内に収容され、コロナ放電用の電圧が印加される電極針とを備え、上記ノズルが、導電性部材からなるように構成される。
【００１２】
この様な構成によれば、導電性部材からなるノズルが電極針の近傍に配置されるので、電極針周辺の電界が強められたり弱められたりするのが抑えられる。このため、電極針の駆動周期よりも長い時間スケールでイオンバランスが不規則に変動するのを抑制することができる。
【００１３】
第２の本発明による除電装置は、上記構成に加え、上記電極針及び上記ノズルが、略同電位であるように構成される。この様な構成によれば、ノズルも電極針と同様に駆動されるので、電極針周辺の電界が強められたり弱められたりするのを十分に抑制することができる。
【００１４】
第３の本発明による除電装置は、上記構成に加え、上記取付面上において上記ノズルを取り囲むように配置された絶縁性部材からなるフィンガーガードを備えて構成される。フィンガーガードは、電極針の近傍に配置されることから、電極針付近で発生したイオンが付着し易い。イオンの付着によってフィンガーガードが帯電し、ゼロでない電位を有するようになれば、電極針周辺の電界が強められたり弱められたりし、コロナ放電の強さが変化してしまう。その際、イオンの付着によるフィンガーガードの帯電量は不規則に変化することから、イオン発生量が不安定となることが考えられるが、上記構成によれば、イオンの付着によってフィンガーガードが帯電した場合に、帯電したフィンガーガードの影響を打ち消すように、静電誘導によってノズル内の電荷が移動する。このため、フィンガーガードの帯電によって電極針周辺の電界が強められたり弱められたりするのを効果的に抑制することができる。
【００１５】
第４の本発明による除電装置は、上記構成に加え、上記フィンガーガードが、上記取付面の周縁に沿って配置された３以上の爪部からなり、上記爪部が、上記取付面からの高さが上記電極針の先端よりも高い形状からなるように構成される。この様な構成によれば、取付面の周縁に沿って配置された複数の爪部によって、指などが電極針の先端に触れるのを防止することができる。
【００１６】
第５の本発明による除電装置は、上記構成に加え、上記フィンガーガードが、上記電極針の先端よりも高い位置に配置された環状のリング部と、上記取付面の周縁に沿って配置され、上記リング部を支持する３以上の柱部とからなるように構成される。この様な構成によれば、取付面の周縁に沿って配置された複数の柱部により支持されるリング部によって、指などが電極針の先端に触れるのを防止することができる。
【００１７】
第６の本発明による放電針ユニットは、取付面から突出するように配置され、先端にエア吐出口が形成されたノズルと、上記エア吐出口から先端を突出させた状態で上記ノズル内に収容され、コロナ放電用の電圧が印加される電極針と、上記取付面上において上記ノズルを取り囲むように配置された絶縁性部材からなるフィンガーガードとを備え、上記ノズルが、導電性部材からなるように構成される。
【００１８】
この様な構成によれば、導電性部材からなるノズルが電極針とフィンガーガードとの間に介在するので、イオンの付着によってフィンガーガードが帯電した場合に、帯電したフィンガーガードの影響を打ち消すように、静電誘導によってノズル内の電荷が移動する。このため、フィンガーガードの帯電によって電極針周辺の電界が強められたり弱められたりするのが抑えられるので、電極針の駆動周期よりも長い時間スケールでイオンバランスが不規則に変動するのを抑制することができる。
【発明の効果】
【００１９】
本発明による除電装置では、電極針周辺の電界が強められたり弱められたりするのが抑えられるので、電極針の駆動周期よりも長い時間スケールでイオンバランスが不規則に変動するのを抑制することができる。従って、除電装置に近い距離におけるイオンバランスの変動を抑制することができる。
【００２０】
また、本発明による放電針ユニットでは、フィンガーガードの帯電によって電極針周辺の電界が強められたり弱められたりするのが抑えられるので、電極針の駆動周期よりも長い時間スケールでイオンバランスが不規則に変動するのを効果的に抑制することができる。
【図面の簡単な説明】
【００２１】
【図１】本発明の実施の形態による除電器１の一構成例を示した外観図であり、複数の放電針ユニット３が棒状の筐体ユニット２に取り付けられた除電装置が示されている。
【図２】図１の放電針ユニット３が筐体ユニット２の針ユニット収容孔２３に取り付けられる様子を示した斜視図である。
【図３】図１の放電針ユニット３の詳細を示した図である。
【図４】図３の電極針３４を示した斜視図である。
【図５】図３のエアノズル３３を示した斜視図である。
【図６】図４の電極針３４を図５のエアノズル３３内に圧入する工程を示した斜視図である。
【図７】図３の針キャップ３０を示した斜視図である。
【図８】図３の放電針ユニット３をＣ−Ｃ切断線で切断した場合の切断面を示した断面図である。
【図９】図１の除電器１をＡ−Ａ切断線で切断した場合の切断面を示した断面図である。
【図１０】図１の除電器１をＢ−Ｂ切断線で切断した場合の切断面を示した断面図である。
【図１１】図１の除電器１を用いて測定されたイオンバランスの時間変動の一例を従来例と比較して示した図である。
【図１２】図１の放電針ユニット３の他の構成例を示した斜視図である。
【図１３】従来の除電装置を用いて測定されたリップルを示した図であり、交流駆動の周波数が３３Ｈｚである場合が示されている。
【図１４】従来の除電装置を用いて測定されたイオンバランスの不規則な時間変動をリップルと比較して示した図である。
【発明を実施するための形態】
【００２２】
＜除電器１＞
図１は、本発明の実施の形態による除電器１の一構成例を示した外観図であり、複数の放電針ユニット３が棒状の筐体ユニット２に取り付けられた除電装置が示されている。図中の（ａ）には、除電器１の側面が示され、（ｂ）には、下面が示されている。この除電器１は、９個の放電針ユニット３と、これらの放電針ユニット３が取り付けられる筐体ユニット２とからなり、例えば、パルス状の交流電圧が各放電針ユニット３に印加されるパルスＡＣ方式のイオナイザーである。
【００２３】
放電針ユニット３は、コロナ放電のための駆動電圧が印加される電極針を有し、筐体ユニット２に対し、着脱可能な電極針モジュールである。筐体ユニット２は、細長い直方体形状からなる本体ユニットであり、導電カバー２１及びエアコネクタ２２が設けられている。
【００２４】
導電カバー２１は、各放電針ユニット３に共通の接地電極であり、例えば、導電性を有する金属板からなる。導電カバー２１は、筐体ユニット２の下面に配置されている。エアコネクタ２２は、クリーンエアを外部から筐体ユニット２内に供給するための接続部であり、筐体ユニット２の左右の端面に設けられている。クリーンエアは、電極針が空気中の塵埃や放電によるガスの分解生成物によって汚染されるのを防ぐための清浄なエアであり、各放電針ユニット３から吐出される。
【００２５】
各放電針ユニット３は、筐体ユニット２の長尺方向に平行な直線上に概ね一定間隔で配置され、それぞれ電極針を下に向けて固定されている。筐体ユニット２内には、電源回路、駆動電圧の電圧値や印加時間を制御するための制御回路が配置される。
【００２６】
＜放電針ユニット３の取付構造＞
図２は、図１の放電針ユニット３が筐体ユニット２の針ユニット収容孔２３に取り付けられる様子を示した斜視図である。放電針ユニット３は、放電用の電極針３４と、電極針３４の周囲からクリーンエアを吐出するためのエアノズル３３と、指などが電極針３４に触れるのを防止するための針キャップ３０とからなる。
【００２７】
針キャップ３０は、一端に取付面３１ａが形成された筐体取付部３１と、取付面３１ａ上に形成されたフィンガーガード３２とからなり、筐体ユニット２に着脱可能に取り付けられる。取付面３１ａは、筐体取付部３１の端面である。エアノズル３３は、取付面３１ａから突出するように配置されている。電極針３４は、エアノズル３３のエア吐出口から先端を突出させた状態で、エアノズル３３内に収容されている。
【００２８】
筐体取付部３１は、一端がフランジ形状の円筒体からなり、当該一端側に取付面３１ａが形成されている。また、筐体取付部３１の周面上には、まわり止め用の突起部３１１が設けられている。フィンガーガード３２は、メンテナンス時に指先が電極針３４に触れるのを防止するための保護部材であり、取付面３１ａ上においてエアノズル３３を取り囲むように配置された４つの爪部からなる。
【００２９】
フィンガーガード３２の各爪部は、取付面３１ａの周縁に沿って概ね一定間隔で配置され、これらの爪部は、いずれも取付面３１ａからの高さが電極針３４の先端よりも高い形状からなる。
【００３０】
一方、筐体ユニット２の導電カバー２１には、放電針ユニット３を挿通させるための貫通孔２１１が設けられている。貫通孔２１１は、円形状からなり、放電針ユニット３ごとに形成されている。また、筐体ユニット２の内部筐体には、放電針ユニット３を収容するための針ユニット収容孔２３が設けられている。
【００３１】
針ユニット収容孔２３は、放電針ユニット３を着脱可能に取り付けるための取付部であり、針ユニット受け部２３１、係合溝２３２及びストッパー部２３３が設けられている。針ユニット受け部２３１は、放電針ユニット３のフランジ部に当接させるためのフランジ当接部であり、針ユニット収容孔２３の内壁面に沿って形成されている。
【００３２】
係合溝２３２は、筐体取付部３１の突起部３１１と係合させるための溝であり、針ユニット受け部２３１の一部を切り欠くように、放電針ユニット３の挿抜方向に形成されている。ストッパー部２３３は、突起部３１１に当接させることにより、放電針ユニット３が筐体ユニット２に対して回転しないように当該放電針ユニット３を固定するための当接部である。
【００３３】
放電針ユニット３を筐体ユニット２に取り付ける場合、突起部３１１の位置を係合溝２３２に合わせた状態で、放電針ユニット３を針ユニット収容孔２３内に挿入することにより、突起部３１１が係合溝２３２を通過し、筐体取付部３１のフランジ部が針ユニット受け部２３１に当接する。そして、筐体取付部３１のフランジ部を針ユニット受け部２３１に接触させた状態で、放電針ユニット３を所定量だけ回転させれば、突起部３１１がストッパー部２３３に当接し、放電針ユニット３が筐体ユニット２に対し固定される。
【００３４】
＜放電針ユニット３＞
図３は、図１の放電針ユニット３の詳細を示した図であり、図中の（ａ）には、放電針ユニット３を水平方向から見た様子が示され、（ｂ）には、下方向から見た様子が示されている。針キャップ３０の筐体取付部３１には、４つの突起部３１１と、取付面３１ａを有するフランジ部３１２と、４つのエア供給孔３１３とが設けられている。
【００３５】
突起部３１１は、筐体取付部３１の周面から突出する柱状体からなる。各突起部３１１は、筐体取付部３１の周方向に概ね一定間隔で配置されている。エア供給孔３１３は、クリーンエアを筐体取付部３１内に供給するための貫通孔である。
【００３６】
フィンガーガード３２は、取付面３１ａから突出する柱状体からなり、フランジ部３１２の中心側ほど幅が狭くなっている。また、フィンガーガード３２は、取付面３１ａからの高さが電極針３４の先端よりも高い形状からなる。
【００３７】
エアノズル３３には、その先端にクリーンエアを吐出するためのエア吐出口３３１が形成されている。電極針３４は、エア吐出口３３１から先端を突出させた状態でエアノズル３３内に収容されている。電極針３４は、エア吐出口３３１に対し、略同軸に配置されている。
【００３８】
＜電極針３４＞
図４は、図３の電極針３４を示した斜視図である。電極針３４は、コロナ放電のための駆動電圧が印加される細長い棒状の放電電極であり、先端に放電部３４１が形成されている。放電部３４１は、先端ほど径が小さく、尖っている。電極針３４は、導電性を有する金属、例えば、タングステンやチタンなどの高融点金属、又は、ＳＵＳ（ステンレススチール）などの合金からなる。
【００３９】
＜エアノズル３３＞
図５は、図３のエアノズル３３を示した斜視図である。エアノズル３３は、先端にエア吐出口３３１が形成された円錐体状のノズルであり、先端ほど径が小さなテーパー面３３２が形成されている。
【００４０】
エアノズル３３は、導電性を有する金属、例えば、ＳＵＳからなり、或いは、導電樹脂からなる。導電樹脂とは、ポリカーボネートなどの絶縁樹脂にカーボン繊維、カーボン粉末、ステンレス繊維、銀粉末、ニッケル粉末などの導電体を混合させたもののことである。或いは、絶縁樹脂の表面にニッケルなどの導電性金属をめっきしたものをエアノズル３３として用いても良い。
【００４１】
図６は、図４の電極針３４を図５のエアノズル３３内に圧入する工程を示した斜視図である。エアノズル３３内には、電極針３４の周面に当接することによって、電極針３４を略同軸に保持するための針当接部３３３と、クリーンエアを通すためのエア流路３３４とが形成されている。
【００４２】
電極針３４は、エアノズル３３に対し、エアノズル３３の先端とは反対側から圧入することによって固定される。電極針３４とエアノズル３３とは、針当接部３３３を介して互いに接触しているので、略同電位に保たれる。
【００４３】
＜針キャップ３０＞
図７は、図３の針キャップ３０を示した斜視図である。針キャップ３０は、ポリカーボネートなどの絶縁樹脂又はセラミックなどの絶縁性部材からなる。筐体取付部３１のフランジ部３１２には、エアノズル３３を挿通させるための貫通孔３１４が形成されている。
【００４４】
貫通孔３１４は、取付面３１ａの中央に配置されている。エアノズル３３は、筐体取付部３１に対し、フランジ部３１２とは反対側から挿入することにより、先端を取付面３１ａから突出させることができる。
【００４５】
図８は、図３の放電針ユニット３をＣ−Ｃ切断線で切断した場合の切断面を示した断面図である。エアノズル３３内に圧入された電極針３４は、針当接部３３３により、エアノズル３３の中心軸と略同軸に保持される。エア流路３３４は、先端側で狭くなっている。
【００４６】
筐体取付部３１内に挿入されたエアノズル３３は、筐体取付部３１に対し、スペーサ３５をフランジ部３１２とは反対側から圧入することによって固定されている。スペーサ３５は、電極針３４を挿通させるための貫通孔や、クリーンエアを通すための切欠き溝が形成された円柱体であり、例えば、絶縁樹脂からなる。
【００４７】
エアノズル３３を挟んで対向する２つのフィンガーガード３２について、内壁間の距離ｄは、１０ｍｍ程度である。このため、指先が電極針３４の先端に触れにくくなっている。エア供給孔３１３から供給されたクリーンエアは、エア流路３３４を介してエアノズル３３のエア吐出口３３１へ流れ、外部へ吐出される。
【００４８】
エア吐出口３３１から吐出されたクリーンエアは、エアノズル３３周辺の雰囲気ガスを巻き込みながら電極針３４の軸方向へ流れる層流となる。このため、針キャップ３０周辺の雰囲気ガスがフィンガーガード３２間を通って取付面３１ａ上に流れ込むことになる。その際、取付面３１ａ上に流れ込んだ雰囲気ガスは、エアノズル３３のテーパー面３３２に沿って流れるので、雰囲気ガス中の塵埃が電極針３４の先端に付着するのを抑制することができる。
【００４９】
図９は、図１の除電器１をＡ−Ａ切断線で切断した場合の切断面を示した断面図である。この図９には、放電針ユニット３が破断されずに描かれている。また、図１０は、図１の除電器１をＢ−Ｂ切断線で切断した場合の切断面を示した断面図である。放電針ユニット３を筐体ユニット２の針ユニット収容孔２３内に収容させた状態では、フィンガーガード３２が導電カバー２１の貫通孔２１１から突出している。
【００５０】
電極針３４は、エアノズル３３や針キャップ３０を貫通し、共通電極２５に当接している。共通電極２５は、各放電針ユニット３に共通の電源供給用電極であり、共通電極２５を介して、電極針３４に放電用の駆動電圧が供給される。
【００５１】
エアコネクタ２２を介して筐体ユニット２内に供給されたクリーンエアは、エア流路２４を流れ、各放電針ユニット３へ供給される。そして、エア供給孔３１３を介して放電針ユニット３内に供給され、エアノズル３３から吐出される。
【００５２】
図１１は、図１の除電器１を用いて測定されたイオンバランスの時間変動の一例を従来例と比較して示した図であり、（ａ）には、本発明による除電器１を用いた場合が示され、（ｂ）には、エアノズルが絶縁樹脂からなる従来の除電装置を用いた場合が示されている。
【００５３】
エアノズルが絶縁樹脂、例えば、ポリカーボネートからなる除電装置の場合、除電装置周辺のイオンバランスは、５分程度の時間に、（−５０）〜（＋３５）Ｖの範囲で不規則に変動している。
【００５４】
これに対し、エアノズル３３が導電樹脂からなる除電器１の場合、イオンバランスは、その変動幅が（−２）〜（＋１５）Ｖの範囲内に収まっており、安定している。エアノズル３３がＳＵＳなどの他の導電性部材からなる場合も、導電樹脂からなる場合と同様である。
【００５５】
本実施の形態によれば、導電性部材からなるエアノズル３３が電極針３４とフィンガーガード３２との間に介在するので、イオンの付着によってフィンガーガード３２が帯電した場合に、帯電したフィンガーガード３２の影響を打ち消すように、静電誘導によってエアノズル３３内の電荷が移動する。このため、フィンガーガード３２の帯電によって電極針３４周辺の電界が弱められるのが抑えられるので、電極針３４の駆動周期よりも長い時間スケールでイオンバランスが不規則に変動するのを抑制することができる。
【００５６】
また、電極針３４とエアノズル３３とが、略同電位に保たれ、エアノズル３３も電極針３４と同様に駆動されるので、フィンガーガード３２の帯電の影響によって電極針３４周辺の電界が弱められるのを十分に抑制することができる。
【００５７】
なお、本実施の形態では、針キャップ３０のフィンガーガード３２が、取付面３１ａの周縁に沿って配置された４つの爪部からなる場合の例について説明したが、本発明はフィンガーガードの構成をこれに限定するものではない。
【００５８】
図１２は、図１の放電針ユニット３の他の構成例を示した斜視図である。この放電針ユニット３では、針キャップ６０が、筐体取付部６１及びフィンガーガード６２からなる。筐体取付部６１には、図７の筐体取付部３１と同様に、まわり止め用の突起部６１１及びフランジ部６１２が形成され、フランジ部６１２には、取付面６１ａが形成されている。
【００５９】
フィンガーガード６２は、円環状のリング部６２１と、リング部６２１を支持する４つの柱部６２２とからなる。柱部６２２は、取付面６１ａから突出する柱状体からなる。各柱部６２２は、取付面６１ａ上においてエアノズル３３を取り囲むように、取付面６１ａの周縁部に配置されている。また、各柱部６２２は、取付面６１ａの周縁に沿って概ね一定間隔で配置されている。
【００６０】
リング部６２１は、取付面６１ａに対し、電極針３４の先端よりも高い位置に配置されている。この様な構成であっても、電極針３４の駆動周期よりも長い時間スケールでイオンバランスが不規則に変動するのを抑制することができる。
【００６１】
また、本実施の形態では、電極針３４とエアノズル３３とが略同電位に保たれる場合の例について説明したが、本発明は電極針３４及びエアノズル３３が略同電位であることを限定するものではない。例えば、電極針３４及びエアノズル３３間の電位差がコロナ放電に必要な電圧の下限値よりも小さければ、電極針３４に印加される駆動電圧に対して一定の関係を保持する電圧をエアノズル３３に印加するような構成であっても良い。或いは、電極針３４に印加される駆動電圧の基準電位に対して一定の関係を保持する電圧をエアノズル３３に印加するような構成であっても良い。
【符号の説明】
【００６２】
１  除電器
２  筐体ユニット
２１  導電カバー
２２  エアコネクタ
２３  針ユニット収容孔
２３１  針ユニット受け部
２３２  係合溝
２３３  ストッパー部
２４  エア流路
２５  共通電極
３  放電針ユニット
３０  針キャップ
３１  筐体取付部
３１ａ  取付面
３１１  まわり止め用の突起部
３１２  フランジ部
３１３  エア供給孔
３２  フィンガーガード
３３  エアノズル
３３１  エア吐出口
３３２  テーパー面
３３３  針当接部
３３４  エア流路
３４  電極針
３４１  放電部
３５  スペーサ
６０  針キャップ
６１  筐体取付部
６１ａ  取付面
６２  フィンガーガード
６２１  リング部
６２２  柱部
【図１】
2012221901.tif 000003
【図２】
2012221901.tif 000004
【図３】
2012221901.tif 000005
【図４】
2012221901.tif 000006
【図５】
2012221901.tif 000007
【図６】
2012221901.tif 000008
【図７】
2012221901.tif 000009
【図８】
2012221901.tif 000010
【図９】
2012221901.tif 000011
【図１０】
2012221901.tif 000012
【図１１】
2012221901.tif 000013
【図１２】
2012221901.tif 000014
【図１３】
2012221901.tif 000015
【図１４】
2012221901.tif 000016